(57)【要約】【課題】その場かつ高いセキュリティで指の読取順等の認証情報の通知を受けることが可能な個人認証装置及びその方法を提供する。【解決手段】登録者の生体情報、生体箇所、読取順及び携帯通信端末の電話番号を対応させて格納するデータベース１２、１３と、生体情報を読み取る生体情報読取手段１４と、表示入力手段１５と、ネットワーク２、３を介して外部の携帯通信端末１６ａ、１６ｂ、・・・、１６ｎと通信可能に接続されると共に制御対象の自動ドア１７が電気的に接続され、生体情報読取手段１４から入力された各生体情報について認証を行い、認証が得られたときに自動ドア１７を制御し、登録された認証情報について参照を表示入力手段１５から受け付け、参照用の生体情報を用いて参照の可否を判断し、参照が許可されたときに登録された電話番号の携帯通信端末と通信して登録者に認証情報を通知する制御処理部１１と、を備える構成を有している。【選択図】図１
2008225989.tif 000002
【特許請求の範囲】
【請求項１】
登録者の生体情報、生体箇所、読取順及び前記登録者の携帯通信端末の電話番号を対応させて格納するデータベースと、
生体情報を読み取る生体情報読取手段と、
所定の情報を表示すると共にユーザに所定の情報を入力させる表示入力手段と、
ネットワークを介して外部の携帯通信端末と通信可能に接続されると共に制御対象の装置が電気的に接続され、前記生体情報読取手段が読み取った複数の生体情報が入力され、前記生体情報読取手段から入力された各生体情報について前記データベースが格納する登録者の生体情報、生体箇所及び読取順に基づいて照合を行って認証し、認証が得られたときに前記制御対象の装置を制御し、前記データベースが格納する生体箇所及び読取順を含む認証情報について参照を前記表示入力手段を介して受け付け、前記参照の受付において参照用の生体情報を用いて参照の可否を判断し、前記参照が許可されたときに前記データベースに登録された電話番号の携帯通信端末と通信して登録者に、前記認証情報を前記表示入力手段及び前記登録者の携帯通信端末のうちのいずれか１つ以上を介して通知する制御処理部と、を備えることを特徴とする個人認証装置。
【請求項２】
請求項１に記載の個人認証装置を用いて行う個人認証方法において、
前記制御処理部が、
前記表示入力手段に画面を表示して前記参照及び前記認証を含む所定の機能のうちのいずれか１つをユーザに選択させる第１のステップと、
前記第１のステップで前記認証の機能が選択されたとき、前記認証に用いる生体情報を読み取らせることを前記ユーザに促す画面を前記表示入力手段に表示して生体情報を取得する第２のステップと、
前記第２のステップで前記認証に用いる生体情報を取得したとき、取得した生体情報と前記データベースが格納する対応する生体情報とを照合して認証を行う第３のステップと、
前記第３のステップで認証されたとき、前記制御対象の装置の作動を制御する第４のステップと、
前記第１のステップで前記参照の機能が選択されたとき、生体箇所を指定して前記参照に用いる生体情報を読み取らせることを前記ユーザに促す画面を前記表示入力手段に表示して生体情報を取得する第５のステップと、
前記第５のステップで前記参照に用いる生体情報を取得したとき、取得した生体情報と前記データベースが格納する対応する生体情報とを照合する第６のステップと、
前記第６のステップで照合されたとき、自装置に電話することを前記ユーザに促す画面を前記表示入力手段に表示し、所定時間内に着信があったときにこの着信の電話番号と前記データベースが格納する電話番号とを照合して登録者を特定する第７のステップと、
前記第７のステップで登録者が特定されたとき、対応する前記認証情報を前記表示入力手段に表示する第８のステップと、を実行することを特徴とする個人認証方法。
【請求項３】
請求項１に記載の個人認証装置を用いて行う個人認証方法において、
前記制御処理部が、
前記表示入力手段に画面を表示して前記参照及び前記認証を含む所定の機能のうちのいずれか１つをユーザに選択させる第１のステップと、
前記第１のステップで前記認証の機能が選択されたとき、前記認証に用いる生体情報を読み取らせることを前記ユーザに促す画面を前記表示入力手段に表示して生体情報を取得する第２のステップと、
前記第２のステップで前記認証に用いる生体情報を取得したとき、取得した生体情報と前記データベースが格納する対応する生体情報とを照合して認証を行う第３のステップと、
前記第３のステップで認証されたとき、前記制御対象の装置の作動を制御する第４のステップと、
前記第１のステップで前記参照の機能が選択されたとき、生体箇所を指定して前記参照に用いる生体情報を読み取らせることを前記ユーザに促す画面を前記表示入力手段に表示して生体情報を取得する第５のステップと、
前記第５のステップで前記参照に用いる生体情報を取得したとき、取得した生体情報と前記データベースが格納する対応する生体情報とを照合する第６のステップと、
前記第６のステップで照合されたとき、照合した生体情報の登録者に受信を促す画面を前記表示入力手段に表示してこの登録者の携帯通信端末に電話する第７のステップと、
前記第７のステップで所定時間内に電話回線が接続されたとき、対応する前記認証情報を前記登録者の携帯通信端末に通知する第８のステップと、を実行することを特徴とする個人認証方法。
【請求項４】
前記制御処理部が、前記第８のステップで、前記第６のステップで着信した電話回線が接続されている間、前記認証情報を前記表示入力手段に表示することを特徴とする請求項２に記載の個人認証方法。
【請求項５】
前記制御処理部が、前記第８のステップで、前記第７のステップで接続された電話回線が接続されている間、前記認証情報を前記登録者の携帯通信端末に通知することを特徴とする請求項３に記載の個人認証方法。
【発明の詳細な説明】
【技術分野】
【０００１】
本発明は、生体情報を使用して個人認証を行う個人認証装置及びその方法に関し、特に、例えば個人認証を行ってドアの開閉制御を行う場合において、認証対象の生体箇所、認証順序等をその場で通知可能な個人認証装置及びその方法に関する。
【背景技術】
【０００２】
従来、携帯性と高いセキュリティの観点から、指紋、掌紋、虹彩、静脈パターン等の生体情報に基づいて個人認証を行う個人認証技術が知られている（例えば、特許文献１参照。）。セキュリティを高める観点から、指紋と虹彩等の異なる複数の生体箇所の生体情報を組み合わせること、異なる指の静脈パターンを組み合わせること、さらに読み取りの順序をも認証に用いることなどが考えられる。
【０００３】
図１７は、マンションの共有玄関等の管理用に設けられた生体情報に基づいて個人認証を行う個人認証装置の構成を示すブロック図である。図１７において、個人認証装置は、データ処理機能、接続される装置の制御機能を有する制御処理部９１と、登録者の生体情報を格納する生体情報データベース９２と、認証を受けるための生体情報を読み取る生体情報読取手段９４と、操作画面等の所定の情報を表示するタッチパネル９５と、を備えるように構成され、開閉制御される自動ドア９７がこれに接続されるようになっている。
【０００４】
制御処理部９１は、さらに、画面、メッセージ等を表示する表示処理手段９１１と、生体情報読取手段９４を制御して生体情報を取得する読取制御手段９１２と、取得した生体情報と生体情報データベース９２に格納された生体情報とを照合する照合処理手段９１３と、認証されたときに自動ドア９７の開閉を制御するドア制御手段９１４と、を有する。
【０００５】
図１７に示す個人認証装置において、登録者が生体情報読取手段９４に読み取らせた生体情報は、読取制御手段９１２を介して照合処理手段９１３に出力され、生体情報データベース９２に格納された生体情報と照合される。ここで、照合対象が複数ある場合、この照合が対象の数及び順序に応じて行われ、すべてについて照合が得られたとき、認証が得られたとしてタッチパネル９５にその旨が表示され、自動ドアが開閉制御される。
【特許文献１】特開２００５−２１５９６３号公報
【発明の開示】
【発明が解決しようとする課題】
【０００６】
しかしながら、従来の個人認証技術では、複数の生体情報を認証対象とした場合、認証対象、その順序等を忘れてしまう場合があるという問題を有していた。そのため、これらを忘れた場合、例えば、登録者の家族に連絡して共有玄関のドアを開けてもらうこと、登録者の家族が帰宅するまで待つこと、特に一人住まいの登録者の場合はマンションの管理会社へ連絡すること等の対処を強要する虞が生じ、登録者にとって不便になってしまう場合が生じていた。このような問題は、従来の機械的な鍵等を用いて認証する装置では発生せず、単一の生体情報を用いるものでは、大きな問題とはならなかった。
【０００７】
以上の現状に鑑み、本発明の目的は、複数の生体情報を認証対象とし、認証対象、その順序等を忘れてしまったときでも、その場かつ高いセキュリティでこれらの情報の通知を受けることが可能な個人認証装置及びその方法を提供する。
【課題を解決するための手段】
【０００８】
上記の課題を解決すべく、本発明は以下の構成を提供する。
請求項１に係る発明は、登録者の生体情報、生体箇所、読取順及び前記登録者の携帯通信端末の電話番号を対応させて格納するデータベースと、生体情報を読み取る生体情報読取手段と、所定の情報を表示すると共にユーザに所定の情報を入力させる表示入力手段と、ネットワークを介して外部の携帯通信端末と通信可能に接続されると共に制御対象の装置が電気的に接続され、前記生体情報読取手段が読み取った複数の生体情報が入力され、前記生体情報読取手段から入力された各生体情報について前記データベースが格納する登録者の生体情報、生体箇所及び読取順に基づいて照合を行って認証し、認証が得られたときに前記制御対象の装置を制御し、前記データベースが格納する生体箇所及び読取順を含む認証情報について参照を前記表示入力手段を介して受け付け、前記参照の受付において参照用の生体情報を用いて参照の可否を判断し、前記参照が許可されたときに前記データベースに登録された電話番号の携帯通信端末と通信して登録者に、前記認証情報を前記表示入力手段及び前記登録者の携帯通信端末のうちのいずれか１つ以上を介して通知する制御処理部と、を備えることを特徴とする。
【０００９】
請求項２に係る発明は、請求項１に記載の個人認証装置を用いて行う個人認証方法において、前記制御処理部が、前記表示入力手段に画面を表示して前記参照及び前記認証を含む所定の機能のうちのいずれか１つをユーザに選択させる第１のステップと、前記第１のステップで前記認証の機能が選択されたとき、前記認証に用いる生体情報を読み取らせることを前記ユーザに促す画面を前記表示入力手段に表示して生体情報を取得する第２のステップと、前記第２のステップで前記認証に用いる生体情報を取得したとき、取得した生体情報と前記データベースが格納する対応する生体情報とを照合して認証を行う第３のステップと、前記第３のステップで認証されたとき、前記制御対象の装置の作動を制御する第４のステップと、前記第１のステップで前記参照の機能が選択されたとき、生体箇所を指定して前記参照に用いる生体情報を読み取らせることを前記ユーザに促す画面を前記表示入力手段に表示して生体情報を取得する第５のステップと、前記第５のステップで前記参照に用いる生体情報を取得したとき、取得した生体情報と前記データベースが格納する対応する生体情報とを照合する第６のステップと、前記第６のステップで照合されたとき、自装置に電話することを前記ユーザに促す画面を前記表示入力手段に表示し、所定時間内に着信があったときにこの着信の電話番号と前記データベースが格納する電話番号とを照合して登録者を特定する第７のステップと、前記第７のステップで登録者が特定されたとき、対応する前記認証情報を前記表示入力手段に表示する第８のステップと、を実行することを特徴とする。
【００１０】
請求項３に係る発明は、請求項１に記載の個人認証装置を用いて行う個人認証方法において、前記制御処理部が、前記表示入力手段に画面を表示して前記参照及び前記認証を含む所定の機能のうちのいずれか１つをユーザに選択させる第１のステップと、前記第１のステップで前記認証の機能が選択されたとき、前記認証に用いる生体情報を読み取らせることを前記ユーザに促す画面を前記表示入力手段に表示して生体情報を取得する第２のステップと、前記第２のステップで前記認証に用いる生体情報を取得したとき、取得した生体情報と前記データベースが格納する対応する生体情報とを照合して認証を行う第３のステップと、前記第３のステップで認証されたとき、前記制御対象の装置の作動を制御する第４のステップと、前記第１のステップで前記参照の機能が選択されたとき、生体箇所を指定して前記参照に用いる生体情報を読み取らせることを前記ユーザに促す画面を前記表示入力手段に表示して生体情報を取得する第５のステップと、前記第５のステップで前記参照に用いる生体情報を取得したとき、取得した生体情報と前記データベースが格納する対応する生体情報とを照合する第６のステップと、前記第６のステップで照合されたとき、照合した生体情報の登録者に受信を促す画面を前記表示入力手段に表示してこの登録者の携帯通信端末に電話する第７のステップと、前記第７のステップで所定時間内に電話回線が接続されたとき、対応する前記認証情報を前記登録者の携帯通信端末に通知する第８のステップと、を実行することを特徴とする。
【００１１】
請求項４に係る発明は、請求項２に記載の個人認証方法において、前記制御処理部が、前記第８のステップで、前記第６のステップで着信した電話回線が接続されている間、前記認証情報を前記表示入力手段に表示することを特徴とする。
【００１２】
請求項５に係る発明は、請求項３に記載の個人認証方法において、前記制御処理部が、前記第８のステップで、前記第７のステップで接続された電話回線が接続されている間、前記認証情報を前記登録者の携帯通信端末に通知することを特徴とする。
【発明の効果】
【００１３】
請求項１に係る発明によれば、登録者の生体情報、生体箇所、読取順及び登録者の携帯通信端末の電話番号を対応させて格納するデータベースと、生体情報を読み取る生体情報読取手段と、所定の情報を表示すると共にユーザに所定の情報を入力させる表示入力手段と、ネットワークを介して外部の携帯通信端末と通信可能に接続されると共に制御対象の装置が電気的に接続され、生体情報読取手段が読み取った複数の生体情報が入力され、生体情報読取手段から入力された各生体情報についてデータベースが格納する登録者の生体情報、生体箇所及び読取順に基づいて照合を行って認証し、認証が得られたときに制御対象の装置を制御し、データベースが格納する生体箇所及び読取順を含む認証情報について参照を表示入力手段を介して受け付け、参照の受付において参照用の生体情報を用いて参照の可否を判断し、参照が許可されたときにデータベースに登録された電話番号の携帯通信端末と通信して登録者に、認証情報を表示入力手段及び登録者の携帯通信端末のうちのいずれか１つ以上を介して通知する制御処理部と、を備えるため、複数の生体情報を認証対象とし、認証対象、その順序等を忘れてしまったときでも、その場かつ高いセキュリティでこれらの情報の通知を受けることが可能な個人認証装置を実現することができる。
【００１４】
請求項２に係る発明によれば、請求項１に記載の個人認証装置を用いて行う個人認証方法において、制御処理部が、表示入力手段に画面を表示して参照及び認証を含む所定の機能のうちのいずれか１つをユーザに選択させる第１のステップと、第１のステップで認証の機能が選択されたとき、認証に用いる生体情報を読み取らせることをユーザに促す画面を表示入力手段に表示して生体情報を取得する第２のステップと、第２のステップで認証に用いる生体情報を取得したとき、取得した生体情報とデータベースが格納する対応する生体情報とを照合して認証を行う第３のステップと、第３のステップで認証されたとき、制御対象の装置の作動を制御する第４のステップと、第１のステップで参照の機能が選択されたとき、生体箇所を指定して参照に用いる生体情報を読み取らせることをユーザに促す画面を表示入力手段に表示して生体情報を取得する第５のステップと、第５のステップで参照に用いる生体情報を取得したとき、取得した生体情報とデータベースが格納する対応する生体情報とを照合する第６のステップと、第６のステップで照合されたとき、自装置に電話することをユーザに促す画面を表示入力手段に表示し、所定時間内に着信があったときにこの着信の電話番号とデータベースが格納する電話番号とを照合して登録者を特定する第７のステップと、第７のステップで登録者が特定されたとき、対応する認証情報を表示入力手段に表示する第８のステップと、を実行するため、複数の生体情報を認証対象とし、認証対象、その順序等を忘れてしまったときでも、その場かつ高いセキュリティでこれらの情報の通知を受けることが可能な個人認証方法を実現することができる。
【００１５】
請求項３に係る発明によれば、請求項１に記載の個人認証装置を用いて行う個人認証方法において、制御処理部が、表示入力手段に画面を表示して参照及び認証を含む所定の機能のうちのいずれか１つをユーザに選択させる第１のステップと、第１のステップで認証の機能が選択されたとき、認証に用いる生体情報を読み取らせることをユーザに促す画面を表示入力手段に表示して生体情報を取得する第２のステップと、第２のステップで認証に用いる生体情報を取得したとき、取得した生体情報とデータベースが格納する対応する生体情報とを照合して認証を行う第３のステップと、第３のステップで認証されたとき、制御対象の装置の作動を制御する第４のステップと、第１のステップで参照の機能が選択されたとき、生体箇所を指定して参照に用いる生体情報を読み取らせることをユーザに促す画面を表示入力手段に表示して生体情報を取得する第５のステップと、第５のステップで参照に用いる生体情報を取得したとき、取得した生体情報とデータベースが格納する対応する生体情報とを照合する第６のステップと、第６のステップで照合されたとき、照合した生体情報の登録者に受信を促す画面を表示入力手段に表示してこの登録者の携帯通信端末に電話する第７のステップと、第７のステップで所定時間内に電話回線が接続されたとき、対応する認証情報を登録者の携帯通信端末に通知する第８のステップと、を実行するため、複数の生体情報を認証対象とし、認証対象、その順序等を忘れてしまったときでも、その場かつ高いセキュリティでこれらの情報の通知を受けることが可能な個人認証方法を実現することができる。
【００１６】
請求項４に係る発明によれば、上記請求項２の効果に加えて、制御処理部が、第８のステップで、第６のステップで着信した電話回線が接続されている間、認証情報を表示入力手段に表示するため、認証情報の消去を携帯通信端末の操作により自動的に行うことができ、セキュリティを向上することができる。
【００１７】
請求項５に係る発明によれば、上記請求項３の効果に加えて、制御処理部が、第８のステップで、第７のステップで接続された電話回線が接続されている間、認証情報を登録者の携帯通信端末に通知するため、認証情報の消去を携帯通信端末の操作により自動的に行うことができ、セキュリティを向上することができる。
【発明を実施するための最良の形態】
【００１８】
以下、実施例を示した図面を参照しつつ本発明の実施の形態について説明する。
図１は、本発明による個人認証装置の構成の一実施例を模式的に示す説明図である。個人認証装置は、図１に示すように、データ処理機能、接続される装置の制御機能、通信機能等を有する制御処理部１１と、この装置の使用者として登録されている登録者の生体情報を格納する生体情報データベース１２と、登録者を特定する電話番号等を格納する登録者電話番号データベース１３と、認証を受けるための生体情報を読み取る生体情報読取手段１４と、画面、メッセージ等の所定の情報を表示するタッチパネル等の表示入力手段（以下、タッチパネルという。）１５と、を備えるように構成される。以下では、生体情報として指の静脈パターン（静脈データ）を取り上げて説明する。
【００１９】
ここで、個人認証装置には、制御対象の自動ドア１７が接続され、基地局３を含む有線／無線のネットワーク２を介して外部の携帯通信端末１６ａ、１６ｂ、…、１６ｎが通信可能になっている。また、携帯通信端末１６ａ、１６ｂ、…、１６ｎには、制御処理部１１が認証に使用する生体箇所、認証順又は読取順等（以下、認証情報という。）をその場でも通知可能になっている。ここで、生体箇所は、手及び指によって特定される読取対象の指を特定する情報である。
【００２０】
図２は、各データベースに格納されている情報を模式的に示す図であり、図２（ａ）は登録者の生体情報データベースについての図であり、図２（ｂ）は登録者電話番号データベースについての図である。登録者の生体情報データベース１２には、図２（ａ）に示すように、登録者氏名Ａ１、登録者番号Ａ２、生体箇所Ａ３、登録された図示しない静脈パターン等が対応付けられて格納されている。ここで、上記の読取順は、例えば図２（ａ）に示す表の上から下への順番として予め決められている。登録者電話番号データベース１３には、図２（ｂ）に示すように、登録者番号Ａ４を介して登録者の携帯通信端末１６ａ、１６ｂ、…、１６ｎの登録者電話番号Ａ５等が対応付けて格納されて、登録者電話番号Ａ５に基づいて登録者が特定できるようになっている。
【００２１】
図３は、制御処理部の詳細な構成を示すブロック図である。制御処理部１１は、この装置の操作に使用される画面、メッセージ等を生成してタッチパネル１５に表示させる画面生成表示手段１１１と、生体情報読取手段１４を制御して生体情報を読み取らせて入力させる読取制御手段１１２と、読取制御手段１１２から生体情報が入力され、入力された生体情報と生体情報データベース１２に格納された生体情報とを照合する照合処理手段１１３と、所定の照合が得られて認証されたときに自動ドア１７の開閉を制御するドア制御手段１１４、携帯通信端末１６ａ、１６ｂ、…、１６ｎと通信する通信手段１１５と、を有するように構成される。
【００２２】
図４は、制御処理部が行う処理の流れを説明するフローチャートである。まず、画面生成表示手段１１１が、ユーザに個人認証装置が提供する機能を選択させる機能選択画面を表示させる（Ｓ１０１）。図５は、タッチパネルに表示させる機能選択画面の一実施例を示す模式図である。機能選択画面には、図５に示すように、「ドアの開閉」のボタンＡ１１と、生体情報読取手段１４に読み取らせる生体箇所及び順番等の認証情報を参照するための「認証情報の参照」のボタンＡ１２とが表示される。
【００２３】
次に、画面生成表示手段１１１が、タッチパネル１５からの出力信号に基づいて、機能選択画面上で「ドアの開閉」のボタンＡ１１が押下されたか否かを判断することによって、いずれのボタンＡ１１、Ａ１２が押下されたかを判断する（Ｓ１０２）。なお、機能選択画面上でボタンＡ１１、Ａ１２を選択せずに生体情報読取手段１４に指を入れた場合は、ステップＳ１０２を跳ばして、ステップＳ１０３に進み以降の処理が行われるのでもよい。
【００２４】
ステップＳ１０２で「ドアの開閉」のボタンＡ１１が押下されたと判断した場合、画面生成表示手段１１１が、ユーザに認証用の一連の指を生体情報読取手段１４に入れることを促す第１の読取依頼画面をタッチパネル１５に表示する（Ｓ１０３）。図６は、第１の読取依頼画面の一実施例を示す模式図である。このとき、ユーザは、生体情報データベース１２に登録されている順番で一連の指を生体情報読取手段１４に入れる。
【００２５】
そして、読取制御手段１１２は、生体情報読取手段１４を介して一連の指の静脈パターンを取得して照合処理手段１１３に出力する（Ｓ１０４）。照合処理手段１１３は、入力された静脈パターンと生体情報データベース１２に登録された静脈パターンとを照合し、これらの静脈パターンの照合及び指の読取順の一致が得られ認証されたか否かを判断する（Ｓ１０５）。
【００２６】
ステップＳ１０５で認証されたと判断した場合、照合処理手段１１３は、タッチパネル１５に画面生成表示手段１１１を介して認証できたことを示すメッセージ等を表示すると共に、ドア制御手段１１４に所定の信号を出力して自動ドア１７の開閉の制御を行わせる（Ｓ１０６）。一方、認証されないと判断した場合、照合処理手段１１３は、タッチパネル１５に認証できないことを示すメッセージ等を表示し、この認証の処理は終了する。
【００２７】
一方、ステップＳ１０２でタッチパネル１５からの出力信号に基づいて「ドアの開閉」のボタンＡ１１が押下されずに「認証情報の参照」のボタンＡ１２が押下されたと判断した場合、画面生成表示手段１１１は、ユーザに認証情報の参照に用いる認証用の指を生体情報読取手段１４に入れることを促す第２の読取依頼画面を表示する（Ｓ１０７）。図７は、第２の読取依頼画面の一実施例を示す模式図である。このとき、ユーザは、第２の読取依頼画面に表示された例えば人差し指等の所定の指を生体情報読取手段１４に入れて静脈パターンを読み取らせる。そして、読取制御手段１１２は、生体情報読取手段１４を介して指の静脈パターンを取得して照合処理手段１１３に出力する（Ｓ１０８）。
【００２８】
次に、照合処理手段１１３は、読取制御手段１１２から入力された静脈パターンと生体情報データベース１２に登録された認証情報の参照に用いる認証用の指の静脈パターンとを照合し、照合が得られ認証されたか否かを判断する（Ｓ１０９）。ステップＳ１０８で認証されたと判断した場合、照合処理手段１１３は、タッチパネル１５に画面生成表示手段１１１を介して認証できたことを示すメッセージ等を表示すると共に、電話依頼画面を表示する（Ｓ１１０）。
【００２９】
図８は、電話依頼画面の一実施例を示す模式図である。電話依頼画面には、図８に示すように、個人認証装置用に予め決められた電話番号を含む電話を促すメッセージ、発信受付時間等が表示される。ここで、発信受付時間は、通信手段１１５がユーザからの電話を受け付ける時間であり、例えば、６０、９０、１２０秒等からカウントダウンして表示される。
【００３０】
発信受付時間内に着信があった場合、通信手段１１５が受け、着信番号と、登録者電話番号データベース１３中の登録者電話番号Ａ５とを比較して一致するものがあるか否かを判断する（ステップＳ１１１）。ステップＳ１１１で一致するものがあるかと判断した場合、通信手段１１５は、電話が切れるまでの間、タッチパネル１５に画面生成表示手段１１１を介して認証情報参照画面を表示させる（Ｓ１１２）。
【００３１】
図９は、認証情報参照画面の一実施例を示す模式図である。認証情報参照画面には、図９に示すように、例えば、参照を要求した生体箇所及び順番からなる認証情報と、通話を終了すると画面がクリアされることを示すメッセージとが表示される。
【００３２】
図１０は、本発明による個人認証装置の構成の他の実施例を模式的に示す説明図である。上記では、登録者に携帯通信端末から個人認証装置へ電話させて認証情報を参照可能とする例について説明したが、以下では、個人認証装置から登録者の携帯通信端末に電話して認証情報を通知可能とする例について説明する。図１０において、図１に示すものと同様の構成手段には同一の番号を付し、その説明を省略する。
【００３３】
制御処理部２１には、登録者電話番号データベース１３に替えて登録者連絡電話番号データベース２３が接続される。図１１は、図１０に示す個人認証装置の登録者連絡電話番号データベースに格納されている情報を模式的に示す図である。図１１において、図２に示すものと同様の項目には同一の番号を付し、その説明を省略する。連絡先電話番号Ｂ５には、登録者の連絡先電話番号、例えば、所謂携帯電話等の電話番号が登録される。
【００３４】
図１２は、図１０に示す制御処理部２１の詳細な構成例を示すブロック図である。図１２において、図３に示すものと同様の構成手段には同一の番号を付し、その説明を省略する。また、図１３は、制御処理部２１が行う処理の流れを説明するフローチャートである。図１３において、図４に示すものと同様の処理を行うステップには同一の番号を付し、その説明を省略する。
【００３５】
ステップＳ１０１で機能選択画面を表示し、ステップＳ１０２で「ドアの開閉」のボタンＡ１１が押下されたと判断した場合以降の各ステップでの処理は、図４を用いて説明したものと同様である。また、ステップＳ１０２で「認証情報の参照」のボタンＡ１２が押下されたと判断した場合についても、以降のステップＳ１０９までの処理は、上記と同様である。
【００３６】
ここで、ステップＳ１０９で認証されたと判断した場合、通信手段２１４は、照合処理手段１１３を介して登録者連絡電話番号データベース２３中の認証された登録者の連絡先電話番号を取得してこの番号に電話接続する（Ｓ２１０）。このとき、通信手段２１４は、例えば、タッチパネル１５に画面生成表示手段２１１を介して電話受信依頼画面を表示してユーザに着信を促すのでもよい。
【００３７】
図１４は、電話受信依頼画面の一実施例を示す模式図である。電話受信依頼画面には、例えば、登録先の電話番号に接続中であることを示すメッセージ、携帯通信端末を受信可能状態に設定することを登録者に依頼するメッセージ、受信可能状態に設定されるまでの受信受付時間等が表示される。受信受付時間は、携帯通信端末が受信可能となるまでの受付時間であり、例えば、６０、９０、１２０秒等からカウントダウンして表示される。
【００３８】
受信受付時間内に携帯通信端末が受信可能状態に設定された場合、通信部２１５は、照合処理手段１１３を介して登録者連絡電話番号データベース２３中の認証された登録者の要求された生体箇所及び順番からなる認証情報を取得してこの連絡先に音声で通知する（Ｓ２１１）。このとき、通信手段２１４は、例えば、タッチパネル１５に画面生成表示手段２１１を介して参照情報通知画面を表示してユーザに傾聴を促すのでもよい。
【００３９】
図１５は、参照情報通知画面の一実施例を示す模式図である。参照情報通知画面には、図１５に示すように、例えば、回線が接続されたことを示すメッセージ、参照を要求した認証情報を音声で通知することを示すメッセージ等が表示される。
【００４０】
なお、制御処理部２１は、以下に説明する処理を行うのでもよい。図１６は、図１３に対応し、制御処理部２１が行う他の処理（以下、第２処理という。）の流れを説明するフローチャートである。図１６において、図１３に示すものと同様の処理を行うステップには同一の番号を付し、その説明を省略する。以下では、図１６を参照して、個人認証装置から登録者の携帯通信端末に電話すると共に、認証情報を認証情報参照画面に表示して参照可能にする処理について説明する。
【００４１】
ステップＳ１０１で機能選択画面を表示し、ステップＳ１０２で「ドアの開閉」のボタンＡ１１が押下されたと判断した場合以降の各ステップでの処理は、図４を用いて説明したものと同様である。また、ステップＳ１０２で「認証情報の参照」のボタンＡ１２が押下されたと判断した場合についても、以降のステップＳ１０９までの処理は、上記と同様である。
【００４２】
ここで、ステップＳ１０９で認証されたと判断した場合、通信手段２１４は、照合処理手段１１３を介して登録者連絡電話番号データベース２３中の認証された登録者の連絡先電話番号を取得してこの番号に電話接続する（Ｓ３１０）。ここで、通信手段２１４は、通信可能状態になるまで待つ（Ｓ３１１）。
【００４３】
携帯通信端末と通信可能状態になった場合、通信部２１５は、タッチパネル１５に画面生成表示手段２１１を介して認証情報参照画面を表示させる（Ｓ３１２）。認証情報参照画面には、図９に示すように、例えば、参照を要求した認証情報と、通話を終了すると画面がクリアされることを示すメッセージとが表示される。ステップＳ３１２で認証情報参照画面を表示した後、携帯通信端末と回線が切断されたとき、通信部２１５は、タッチパネル１５への認証情報参照画面の表示を終了させる（Ｓ３１３）。
【図面の簡単な説明】
【００４４】
【図１】本発明による個人認証装置の構成の一実施例を模式的に示す説明図である。
【図２】各データベースに格納されている情報を模式的に示す図であり、図２（ａ）は登録者の生体情報データベースについての図であり、図２（ｂ）は登録者電話番号データベースについての図である。
【図３】制御処理部の詳細な構成を示すブロック図である。
【図４】制御処理部が行う処理の流れを説明するフローチャートである。
【図５】タッチパネルに表示させる機能選択画面の一実施例を示す模式図である。
【図６】第１の読取依頼画面の一実施例を示す模式図である。
【図７】第２の読取依頼画面の一実施例を示す模式図である。
【図８】電話依頼画面の一実施例を示す模式図である。
【図９】認証情報参照画面の一実施例を示す模式図である。
【図１０】本発明による個人認証装置の構成の他の実施例を模式的に示す説明図である。
【図１１】図１０に示す個人認証装置の登録者連絡電話番号データベースに格納されている情報を模式的に示す図である。
【図１２】図１０に示す制御処理部２１の詳細な構成例を示すブロック図である。
【図１３】制御処理部２１が行う処理の流れを説明するフローチャートである。
【図１４】電話受信依頼画面の一実施例を示す模式図である。
【図１５】参照情報通知画面の一実施例を示す模式図である。
【図１６】図１３に対応し、制御処理部２１が行う他の処理（以下、第２処理という。）の流れを説明するフローチャートである。
【図１７】マンションの共有玄関等の管理用に設けられた生体情報に基づいて個人認証を行う個人認証装置の構成を示すブロック図である。
【符号の説明】
【００４５】
２  ネットワーク
３  基地局
１１、２１、９１  制御処理部
１２、９２  登録者の生体情報データベース
１３  登録者電話番号データベース
２３  登録者連絡電話番号データベース
１４、９４  生体情報読取手段
１５、９５  表示入力手段（タッチパネル）
１６ａ、１６ｂ、・・・、１６ｎ  携帯通信端末
１７、９７  自動ドア
１１１、２１１  画面生成表示手段
１１２、９１２  読取制御手段
１１３、９１３  照合処理手段
１１４、９１４  ドア制御手段
１１５、２１５  通信手段
９１１  表示処理手段
Ａ１  登録者氏名項目
Ａ２、Ａ４  登録者番号項目
Ａ３  生体箇所項目
Ａ５  登録者電話番号項目
Ｂ５  連絡先電話番号項目
Ａ１１  「ドアの開閉」のボタン
Ａ１２  「認証情報の参照」のボタン
【図１】
2008225989.tif 000003
【図２】
2008225989.tif 000004
【図３】
2008225989.tif 000005
【図４】
2008225989.tif 000006
【図５】
2008225989.tif 000007
【図６】
2008225989.tif 000008
【図７】
2008225989.tif 000009
【図８】
2008225989.tif 000010
【図９】
2008225989.tif 000011
【図１０】
2008225989.tif 000012
【図１１】
2008225989.tif 000013
【図１２】
2008225989.tif 000014
【図１３】
2008225989.tif 000015
【図１４】
2008225989.tif 000016
【図１５】
2008225989.tif 000017
【図１６】
2008225989.tif 000018
【図１７】
2008225989.tif 000019